(57)【特許請求の範囲】
【請求項１】
把柄部と、該把柄部の一端から突出する長尺ブラシ部とを有するふとん叩きであって、
前記ブラシ部は、２本の針金の間に多数のブラシ繊維を撚回固着した直径２０〜４０mmの棒状ブラシ体を２つ折り状態に折返し、長さが３０〜５０cmとなされると共に、前記ブラシ体の折返しによって平行に並び揃えられた状態となされ、この並び揃えられた平行部分が相互に接触した状態となされていることを特徴とするふとん叩き。
【請求項２】
前記ブラシ繊維は獣毛である請求項１に記載のふとん叩き。
【請求項３】
前記ブラシ体の直径は２５〜３５mmである請求項１または２に記載のふとん叩き。
【請求項４】
前記ブラシ部の長さは３５〜４５cmである請求項１〜３のいずれかに記載のふとん叩き。
【発明の詳細な説明】
【０００１】
【発明の属する技術分野】
この発明は、ふとんの埃を叩き出すためのふとん叩きに関する。
【０００２】
【従来の技術】
図６に、従来より使用されているふとん叩きの一例を示す。
【０００３】
前記ふとん叩き(50)は、長柄(51)の先端に面状の叩打部(52)を形成したものであり、前記叩打部(52)をふとんに打ちつけて埃を叩き出す。前記叩打部(52)としては、細棒を円形や角形に成形したフレーム(53)内に数本の力骨(54)を架設したものが一般的である。このような形状のふとん叩き(1)には、長柄(52)と叩打部(52)とを一体に形成した樹脂成形品や籐の曲げ加工品等がある。
【０００４】
【発明が解決しようとする課題】
しかしながら、前記ふとん叩き(50)では、叩打部(52)の叩打面全体でふとんを叩いてもフレーム(53)や力骨(54)、特にフレーム(53)に叩打力が集中するために、ふとん生地や中綿を傷めたり叩打音が大きいという問題があった。
【０００５】
この発明は、このような背景に鑑み、ふとんを傷めず、叩打音の小さいふとん叩きの提供を目的とする。
【０００６】
【課題を解決するための手段】
この発明のふとん叩きは、前記目的を達成するために、把柄部と、該把柄部の一端から突出する長尺のブラシ部とを有するふとん叩きであって、前記ブラシ部は、２本の針金の間に多数のブラシ繊維を撚回固着した直径２０〜４０mmの棒状ブラシ体を２つ折り状態に折返し、長さが３０〜５０cmとなされていることを基本要旨とする。
【０００７】
前記ふとん叩きは、ブラシ部がブラシ体の折返しによって形成されているから、埃の叩き出しに要する腰を確保して十分な叩打力を得ることができる。また、叩打力が多数のブラシ繊維に分散されるため、ふとんを傷めず、叩打音も小さい。
【０００８】
また、前記ブラシ部がブラシ体の折返しによって平行に並び揃えられた状態となされていることが好ましく、強い腰を確実に得ることができる。さらに、並び揃えられた平行部分が相互に接触した状態となされていることが好ましく、さらに腰を強くして叩打力を高めることができる。
【０００９】
また、前記ふとん叩きにおいて、前記ブラシ繊維は獣毛であることが好ましく、剛性と弾力性のバランスが良く十分な叩き出し効果を有しながらもふとん生地の損傷が少ない。
【００１０】
また、前記ブラシ体の直径は２５〜３５mmであることが好ましく、叩打力と使い勝手のバランスが良い。
【００１１】
さらに、前記ブラシ部の長さは３５〜４５cmであることが好ましく、叩打力と使い勝手のバランスが良い。
【００１２】
【発明の実施の形態】
図１にこの発明のふとん叩きの一実施形態を示す。
【００１３】
前記ふとん叩き(1)は、短尺の把柄部(11)と、その先端に突出状に取り付けられた長尺のブラシ部(12)とにより構成されている。
【００１４】
前記ブラシ部(12)は、図２に示す丸棒状のブラシ体(20)をその長さ方向の中央部で２つ折り状態に折返したものであり、折返しによって並行に近接した両端部(20a)(20a)が前記把柄部(11)の先端部に差込まれて該把柄部(11)に固着されている。このブラシ部(12)はふとんに打ちつける叩打部を構成し、ブラシ体(20)が平行に並び揃えられた面が叩打面を構成している。
【００１５】
前記ブラシ体(20)は、２本の針金(21)(21)の間に多数のブラシ繊維(22)を前記針金(21)に対して直交状に挟み、この状態で２本の針金(21)(21)を撚り合わせることによって形成されたものである。前記ブラシ体(20)は、横断面において円形を呈し、針金(21)(21)の撚回によって固着させたブラシ繊維(22)が針金(21)(21)を中心に放射状に配列している。また、前記ブラシ体(20)の折返し状態において、並び揃えられた平行部分はブラシ繊維(22)(22)の先端が相互に絡み合うように接触している。このように、ブラシ体20の折返しによって叩打部として埃の叩き出しに要する腰を確保している。しかも、前記平行部分を相互に接触させることによって、さらに腰を強くして叩打力の高いものとなされている。
【００１６】
前記ブラシ体(20)の直径（Ｄ）は２０〜４０mmとする必要がある。２０mm未満では２つ折りにしても叩打部としての腰が不足し、一方４０mmを越えると、重くなって使い勝手が悪くなり、埃の叩き出し効果のさらなる向上が望めない。前記ブラシ体(20)の好ましい直径（Ｄ）は２５〜３５mmである。
【００１７】
また、前記ブラシ部(12)の長さ（Ｌ）は、３０〜５０cmとする必要がある。３０cm未満ではしなりにくくなって叩打力が不足し、一方５０cmを越えると、重くなって使い勝手が悪くなり、埃の叩き出し効果のさらなる向上が望めない。前記ブラシ部(12)の好ましい長さは３５〜４５cmである。
【００１８】
なお、前記把柄部(11)は、手で握るための径と長さとがあれば良い。
【００１９】
前記ふとん叩き(1)でふとんを叩くと、ブラシ部(12)全体がしなってふとんに打ちつけられるとともに、打ちつけられたブラシ繊維(22)もしなって埃が叩き出される。前記ブラシ部(12)は上述した所定寸法によって十分な腰を確保しながらも、ふとんに接触するのは多数のブラシ繊維(22)であるから、叩打力は叩打面全体に非常に細かくかつ均一に分散される。このため、ふとん生地や中綿の損傷が極めて少なく、叩打音も小さい。
【００２０】
また、叩打時に空気がブラシ繊維(22)間を通り抜けるため、叩打時の空気抵抗が小さく軽快にふとんを叩くことができる。また、空気の通り抜けによって叩打音も小さくなる。さらに、叩打によって埃を叩き出した後は、表面に付着している埃をブラシ部(20)で掃き落とすことができる。
【００２１】
前記ブラシ繊維(22)の材質は、豚毛、馬毛等の獣毛やナイロン等の樹脂繊維を適宜選択することができる。これらの中でも、剛性と弾力性のバランスが良く十分な叩き出し効果を有しながらもふとん生地の損傷が少なく、かつふとん叩きが戸外に置かれることもあるため耐候劣化が少ない点で、獣毛を推奨できる。また、針金(21)の材質も、撚り合せ加工や叩打に必要な加工性と強度、耐候性等を有する限り任意に選択でき、ステンレス製を例示できる。
【００２２】
図１のふとん叩き（1）では、ブラシ繊維(22)として豚毛を用い、ブラシ体(20)の直径（Ｄ）が３０mm、ブラシ部(12)の長さ（Ｌ）が４０cmとなされたものを例示している。また、針金(21)は直径１．９mmのステンレス製である。
【００２３】
また、前記ふとん叩き(1)のブラシ部(12)はその全長で略等しいブラシ幅（Ｗ）に形成されているが、この発明はブラシ部(12)の形状を図示例に限定するものではない。
【００２４】
例えば、図３に示すように、ブラシ部(12')の先端部にブラシ幅（Ｗ’）の広い拡大部(13)を形成したものであっても良い。前記拡大部(13)の形成により、先端部の叩打力が向上し、埃の掃き落としの効率も良くなる。前記拡大部(13)は、ブラシ体(20)の折曲げ形状によって容易に形成でき、またブラシ体(20)における拡大部相当部分に長さの長いブラシ繊維を撚回することによっても形成することができる。
【００２５】
また、図４に示すように、前記ブラシ部(12'')の基端部(14)には必ずしもブラシ繊維(22)が存在していなくても良い。ブラシ部(12'')の基端部(14)は、しなりが少なく叩打力が弱いために、もとより埃の叩き出し効果が少ない。また、叩打角度によってはふとんに当たらないことがある。このため、基端部(14)にブラシ繊維がなくても、ブラシ部(12'')全体の叩き出し効果に与える影響は少ないからである。
【００２６】
さらに、図５に示すように、前記ブラシ部(12)にはネット状の袋体(30)を着脱自在に被せても良い。前記袋体(30)の装着によって、ブラシ繊維(22)のへたりを防いで叩打力を高めるとともに、叩き出した埃がブラシ部(12)内部に侵入するのを防止することができる。また、ブラシ繊維(22)による埃の掃き落とし効果に加えて、埃を拭い取る効果がある。なお、袋体(30)はネット状であり、ブラシ繊維(22)は袋体(30)のネット目から突出し、空気も通り抜けるから、叩打力の分散や埃の掃き落とし、軽快な叩打は何ら支障なく行える。
【００２７】
【発明の効果】
以上説明したように、この発明のふとん叩きは、把柄部と、該把柄部の一端から突出する長尺のブラシ部とを有するふとん叩きであって、前記ブラシ部は、２本の針金の間に多数のブラシ繊維を撚回固着した直径２０〜４０mmの棒状ブラシ体を２つ折り状態に折返し、長さが３０〜５０cmとなされているから、埃の叩き出しに要する腰を確保して十分な叩打力を得ることができる。また、叩打力が多数のブラシ繊維に分散されるため、ふとんを傷めず、叩打音も小さい。また、叩打時に空気がブラシ繊維間を通り抜けるため、叩打時の空気抵抗が小さく軽快にふとんを叩くことができ、叩打音も小さくなる。さらに、叩打によって埃を叩き出した後には、表面に付着している埃をブラシ部で掃き落とすことができる。
【００２８】
また、前記ふとん叩きにおいて、前記ブラシ部が折返しによって、平行に並び揃えられた状態となされている場合は、強い腰を確実に得ることができる。さらに、前記平行部分が相互に接触した状態となされている場合は、さらに腰を強くして叩打力を高めることができる。
【００２９】
また、前記ふとん叩きにおいて、前記ブラシ繊維が獣毛である場合は、剛性と弾力性のバランスが良く十分な叩き出し効果を有しながらもふとん生地の損傷が少ないふとん叩きとなし得る。
【００３０】
また、前記ブラシ体の直径は２５〜３５mmである場合、あるいは前記ブラシ部の長さは３５〜４５cmである場合は、叩打力と使い勝手のバランスの良いふとん叩きとなし得る。
【図面の簡単な説明】
【図１】この発明のふとん叩きの一実施形態を示す全体斜視図である。
【図２】（Ａ）はブラシ体の要部斜視図であり、（Ｂ）は（Ａ）のＢ−Ｂ線断面図である。
【図３】ブラシ部の変形例を示す要部拡大図である。
【図４】ブラシ部の他の変形例を示す要部拡大図である。
【図５】ブラシ部に袋体を装着したふとん叩きの要部拡大図である。
【図６】従来のふとん叩きの一例を示す全体斜視図である。
【符号の説明】
１…ふとん叩き
11…把柄部
12…ブラシ部
20…ブラシ体
21…針金
22…ブラシ繊維
【図１】
0003790122.tif 000002
【図２】
0003790122.tif 000003
【図３】
0003790122.tif 000004
【図４】
0003790122.tif 000005
【図５】
0003790122.tif 000006
【図６】
0003790122.tif 000007